(57)【要約】【課題】発光パネルの取付け又は交換にあたり作業性の良い発光パネル式照明器具を提供する。【解決手段】発光パネル式照明器具１は、複数の発光パネル２，２が端部でヒンジ３により接続されてなる発光ユニット４と、発光ユニット４が取り付けられる支持部材５とからなるとともに、その発光パネル２の非発光面２ａにはヒンジ３の回動部３ａと給電用の導電部２ｂ、２ｃが設けられていることを特徴とする。発光しない部材を発光面に設けないため、大きな発光面をとることができる。【選択図】図１
2008084555.tif 000002
【特許請求の範囲】
【請求項１】
複数の発光パネルが端部でヒンジにより接続されてなる発光ユニットと、該発光ユニットが取り付けられる支持部材とからなる発光パネル式照明器具であって、前記発光パネルの非発光面に前記ヒンジの回動部と給電用の給電部とが設けられていることを特徴とする発光パネル式照明器具。
【請求項２】
前記発光ユニットは前記支持部材に取り付けるための取付部材を有することを特徴とする請求項１記載の発光パネル式照明器具。
【請求項３】
前記支持部材は少なくとも一面に開口を有して箱状をなし、対向する側部に前記発光ユニットを係止する係止部を設けていることを特徴とする請求項１または２記載の発光パネル式照明器具。
【発明の詳細な説明】
【技術分野】
【０００１】
本発明は発光パネルからなる照明器具に関し、より詳細には、複数の発光パネルが端部でヒンジにより接続されてなる発光パネル式照明器具に関するものである。
【背景技術】
【０００２】
発光パネルを光源とする照明器具が知られているが、照明器具自体の小型化と出力の高効率化の要請から、室内に取り付けられた場合に露出する部分、例えば照明器具の枠縁を小型化し、発光パネルの占有面積を大きくしようとする傾向がある。その場合、発光パネルを取付け又は交換する場合には、その縁部を天井近傍の高さにある照明器具の支持部に載せ掛ける必要があり、すなわち、高所で比較的大面積である発光パネルを把持して作業を行う必要があり、作業性の悪いものとなる可能性がある。
【０００３】
一方、小型化、軽量化を図り、収納や持ち運びを容易にする照明器具として、ＥＬ素子からなる面発光部を複数個ヒンジで連結するようにしたものが提案されている（例えば、特許文献１）。この特許文献１の照明器具は、遮光性を有する材料からなる複数の光源支持板と、面発光部とヒンジとで構成されている。そして、光源支持板の端部がヒンジで接続されて、折りたたみや展開が自由に行われるようにされ、薄型化、軽量化が図られているものである。
【０００４】
回動動自在のヒンジを用いて発光パネルを連結すると、発光パネルの取付け又は交換に当たり、ヒンジを折り曲げた状態で行うことが可能になる。すなわち、折り曲げた部分を手に持った状態で、ヒンジが取り付けられていない発光パネルの縁部を照明器具に設けられた支持レールに載せ掛け、ヒンジによる折り曲げ部を器具側に押し上げることで、支持レール上で縁部を滑らせて所定の支持部に納めて取り付けることができるようになる。同様に取り外しにあたり、支持レール上を滑らせて発光パネルの縁部を支持部から外し、ヒンジが回動して室内側に引き下げられ、これを持って支持レールから発光パネルを外すことができる。
【特許文献１】特開２００１−３２５８０５号公報
【発明の開示】
【発明が解決しようとする課題】
【０００５】
しかしながら、特許文献１のようなヒンジで発光パネルを連結した照明器具では、取付け又は交換作業の作業性を改良することができるものの、ヒンジの回動部が発光パネルの発光面側にあると、これが照射光を遮って発光効率が悪くなる。また、取付けに当たって発光パネルの給電用の電極部を給電用端子と接続しなければならないが、ここで電極部が発光パネルの側面にある場合には、給電用端子を取り付けるスペースを確保する都合から、大きくなる可能性がある。
【０００６】
本発明は、上記課題を解決するためになされたものであり、その目的は、発光パネルの取付け又は交換にあたり作業性の良い発光パネル式照明器具を提供することである。
【課題を解決するための手段】
【０００７】
上記の目的を達成するために、請求項１記載の発明に係る発光パネル式照明器具は、複数の発光パネルが端部でヒンジにより接続されてなる発光ユニットと、該発光ユニットが取り付けられる支持部材とからなる発光パネル式照明器具であって、前記発光パネルの非発光面に前記ヒンジの回動部と給電用の給電部とが設けられていることを特徴とする。
【０００８】
請求項２記載の発明に係る発光パネル式照明器具は、請求項１記載の発明において、前記発光ユニットは前記支持部材に取り付けるための取付部材を有することを特徴とする。
【０００９】
請求項３記載の発明に係る発光パネル式照明器具は、請求項１又は２記載の発明において、前記支持部材は少なくとも一面に開口を有して箱状をなし、対向する側部に前記発光ユニットを係止する係止部を設けていることを特徴とする。
【発明の効果】
【００１０】
請求項１に記載された発明によれば、発光パネルの非発光面に、ヒンジの回動部と給電用の給電部とが設けられている。そのため、運搬時等は折り畳んで取り扱うことができ、取付け又は交換の作業性を良好なものとすることができる。また、発光パネルの発光面には非発光部材を設けないようにしているので、照明器具の室内に露出する部分のうちで発光パネルの占有面積を大きなものとすることができる。
【００１１】
請求項２記載の発明によれば、請求項１の効果に加え、一層、照明器具の組み立てが容易、確実にできる。
【００１２】
請求項３記載の発明によれば、請求項１の効果に加え、一層、安定した照明器具とすることができる。
【発明を実施するための最良の形態】
【００１３】
以下、本発明の実施の形態について、図面を参照して詳しく説明する。図１は本発明の実施の形態における発光パネル式照明器具の概略構成を示す一部破断した分解斜視図、図２はその組み立てた状態での図１のＡ−Ａ線に沿う断面図である。
【００１４】
この実施の形態の発光パネル式照明器具１は、発光パネル２と、複数個の発光パネル２をその端部で連結するヒンジ３と、連結された発光パネル２からなる発光ユニット４を支持する支持部材５と、発光ユニット４を支持部材５に係合させる取付部材６とから構成される。本発明の発光パネル式照明器具１は、さらに、発光パネル２の非発光面２ａにヒンジ３の回動部３ａと給電用の給電部７の一部を構成する導電部材２ｂ、２ｃが設けられてなる。
【００１５】
発光パネル２は、自発光型のＥＬ素子を多数並べて所要の面積の発光部を有するパネル状に形成されてなる。ＥＬ素子は、ＥＬ（エレクトロルミネッセンス）現象を利用してなるもので、発熱がほとんどなく、また、軽量、薄型であり、特に、有機ＥＬ素子は、無機ＥＬ素子に比較して色の選択が容易で、駆動電圧が低くて省電力であるなど、種々の利点を有している。
【００１６】
そして、発光パネル２は、給電部７の一部分を構成する導電部２ｂ、２ｃを発光パネル２の非発光面２ａに備え、給電部７を経て照明器具外の給電部に接続している。また、発光パネル２は、図示していないが、非吸着部材を備えている。複数の発光パネル２は、その非発光面２ａ側でヒンジ３により回動可能に連結され、発光ユニット４を形成する。発光ユニット４は、支持部材５の開口５ａの近辺に取り付けられて使用される。発光ユニット４の連結部のヒンジ３部と端部には、端部が円形の長尺材からなる取付部材６を備えている。
【００１７】
取付部材６は、連結する方向に直交して発光ユニット４の縁より突出して設けられ、突出部が支持部材５に係合されて照明器具に組み立てられる。支持部材５は、この実施の形態においては、一面（図１において下面、以下上下左右等の位置関係は図１における方向とする）が開口５ａを有した箱状に形成されてなり、対向する側壁５ｂには、発光ユニット４の取付部材６を係合して係止する係止部８ａ、８ｂを備えている。
【００１８】
係止部８ａは発光ユニット４の一端の取付部材６を受容して案内するように、一端部が側壁５ｂから開放され、他端部が側壁５ｂ上方に延びてその途中に達した溝で構成されている。係止部８ｂは、発光ユニット４の他端と中間部の取付部材６を受容して案内するように、一端部に係止部８ａと同様に形成された溝９ａ部分を有している。さらに、係止部８ｂは、溝９ａから分岐して側壁５ｂの開口面に沿って平行に延びるガイド溝部９ｂと、発光ユニット４が延びてその他端部が支持される側壁５ｂ途中に達した溝９ｃで構成されている。
【００１９】
支持部材５の上面は、閉鎖部材５ｃにより閉鎖され、閉鎖部材５ｃの表面に受電部材１０が設けられている。支持部材５の内面側には、受電部材１０に電気的に導通した給電部材を構成する接続部１１ａ、１１ｂが設けられている。接続部１１ａ、１１ｂは、図示していないが、その先端部に導電部材と永久磁石等の吸着部材を備えている。接続部１１ａ、１１ｂは、発光パネル２の導電部２ｂ、２ｃに対応しており、吸着部材は被吸着部材を吸着して発光パネル４を水平に維持すると共に、その導電部材は導電部２ｂ、２ｃに当接して導電可能に接触するようにされている。受電部材１０に電気的に導通して、商用電源から交流電力の供給を受けて、これを整流平滑する整流平滑回路（ダイオードブリッジを主構成要素とする）と、発光パネルへの供給電力を制御する制御部等を備えた点灯回路を設けている（図示していない）。
【００２０】
上記のように構成してなる発光パネル式照明器具の組み立て取り付け手順は、先ず、支持部材５を所要の照明器具設置個所に取り付け、受電部材１０を電源に接続する。次いで、発光パネル４の他端側の取付部材６を溝９ａに係合してガイド溝９ｂを滑らせて溝９ｃに嵌めると共に中間部の取付部材６を溝９ａに係合して係止部８ｂに取り付ける。発光パネル４の中間部の取り付けに次いで、又は同時に一端部の取付部材６を係止部８ａに支持させる。このとき、発光パネル２は固定されると共に、導電部２ｂ、２ｃは支持部材５の閉鎖部材５ｃに設けられた接続部１１ａ、１１ｂに吸着されて、当接し、給電部７が電気的に導通し、受電して発光できるようになる。
【００２１】
本願発明は、上記のように構成してなるので、天井面と発光面との間隔が小さくても、容易に発光パネルを取り付けることができる。また、発光ユニットは折り曲げて小さくして運搬、取り付けができるので発光パネルの占有面積を大きなものとすることができる。
【００２２】
なお、本願発明は上記実施の形態のものに限られないことは勿論である。例えば、上記実施の形態では、支持部材を底を有する箱状のもので示したが、単なる枠のみであってもよい。また、係止部も説明例の溝ではなく他の構造の溝でも良いし、また溝ではなくフック状等、取付部に被取り付け部が装着される構成であればよい。また、発光パネルを２つで発光ユニットを形成しているが３つ以上であっても良い。
【図面の簡単な説明】
【００２３】
【図１】本発明に係る発光パネル式照明器具の実施の形態の概略構成を示す一部破断した分解斜視図である。
【図２】それを組み立てた状態での図１のＡ−Ａ線に沿う断面図である。
【符号の説明】
【００２４】
１  発光パネル式照明器具
２  発光パネル
２ｂ．２ｃ  導電部
３  ヒンジ
３ａ回動部
４  発光ユニット
５  支持部材
５ａ開口
５ｃ閉鎖部材
６  取付部材
７  給電部
８ａ、８ｂ  係止部
９ａ、９ｃ  溝
９ｂ  ガイド溝
１０  受電部材
１１ａ、１１ｂ  接続部
【図１】
2008084555.tif 000003
【図２】
2008084555.tif 000004